(57)【特許請求の範囲】
【請求項１】
洗浄器本体に芳香洗浄剤を収容し、該洗浄器本体を水洗トイレの貯水タンク上に載置して、手洗水で前記洗浄器本体に収容された前記芳香洗浄剤を溶解させる芳香洗浄器において、前記洗浄器本体に、音を発生する音色発生器を備え、該音色発生器は、手洗水の流路に互いに間隔をあけて配置された両電極端子を有し、該両電極端子のそれぞれの周囲に、前記両電極端子の各先端部分のみを露出させ、それ以外の部分を非通水性の材料で被覆してなるガイド部が設けられ、前記両電極端子間に流水がある間導通し、流水がなくなると導通しなくなることを特徴とする芳香洗浄器。
【請求項２】
前記音色発生器が手洗水に触れないように防水被覆されていることを特徴とする請求項１記載の芳香洗浄器。
【請求項３】
前記両電極端子は、前記洗浄器本体の表面又は水流入用開口の近傍に配置されていることを特徴とする請求項１又は２記載の芳香洗浄器。
【請求項４】
洗浄器本体に芳香洗浄剤を収容し、該洗浄器本体を水洗トイレの貯水タンク上に載置して、手洗水で前記洗浄器本体に収容された前記芳香洗浄剤を溶解させる芳香洗浄器において、前記洗浄器本体が蓋体を備え、該蓋体が音を発生する音色発生器を備え、該音色発生器は、手洗水の流路に互いに間隔をあけて配置された両電極端子を有し、該両電極端子のそれぞれの周囲に、前記両電極端子の各先端部分のみを露出させ、それ以外の部分を非通水性の材料で被覆してなるガイド部が設けられ、前記両電極端子間に流水がある間導通し、流水がなくなると導通しなくなることを特徴とする芳香洗浄器の蓋体。
【発明の詳細な説明】
【０００１】
【発明の属する技術分野】
本発明は、水洗トイレの貯水タンク上に載置する芳香洗浄器、詳しくは手洗水で洗浄器本体内に収容された芳香洗浄剤を溶解させて、芳香洗浄剤が溶解した貯蔵水で水洗トイレを洗浄するようにした芳香洗浄器に関する。
【０００２】
【従来の技術】
近年、我が国の衛生状態はよくなり、水洗トイレが普及し、今や公共のトイレだけでなく、殆どの家庭で水洗トイレが使われている。最近では、清潔感を保つために、水洗トイレの貯水タンク上に芳香洗浄器を載置し、芳香洗浄器の芳香洗浄剤による洗浄も行われている。
【０００３】
一般に、水洗トイレの貯水タンク上に載置する芳香洗浄器は、水洗トイレを芳香洗浄剤によって洗浄し、芳香剤による芳香効果と、洗浄剤による洗浄効果によって心地良い気分が保たれる。しかし、更にリラックスできるようにし、また気分を爽やかにするために、メロディーや鳥の声を発生させるとよいが、芳香洗浄器にあっては、音やメロディーを発するものは、未だ知られていない。
【０００４】
ところで、従来、トイレ室内で、音やメロディーを発するものとしては、水洗トイレ自体に音を出す機構を備えたものが知られている（例えば、登録実用新案３０２７５７４号公報、特開昭４９−１０４４４２号公報）。
【０００５】
【発明が解決しようとする課題】
しかしながら、いずれも、水洗トイレ自体に音を出す機構を備えたものであり、素材上物が取り付け難い水洗トイレ設備に、部品を備えたり、また湿気を嫌う電気回路部品を取り付ける難しさも伴って、高価なものとなる。
また、故障した場合に、狭く複雑な場所で、部品等を交換することになり、修理が困難であった。更には、狭く複雑な場所に配線等を施すために、取り付けが面倒であった。
【０００６】
本発明は、上記の事情に鑑みてなされたものであって、コンパクトで比較的安価にして得られ、修理がし易く、また取り付けも簡単にでき、しかもリラックスでき、気分も爽快になる芳香洗浄器を提供することを目的としている。
【０００７】
【課題を解決するための手段】
本発明に係わる芳香洗浄器は、洗浄器本体に芳香洗浄剤を収容し、該洗浄器本体を水洗トイレの貯水タンク上に載置して、手洗水で前記洗浄器本体に収容された前記芳香洗浄剤を溶解させる芳香洗浄器において、前記洗浄器本体に、音を発生する音色発生器を備え、該音色発生器は、手洗水の流路に互いに間隔をあけて配置された両電極端子を有し、該両電極端子のそれぞれの周囲に、前記両電極端子の各先端部分のみを露出させ、それ以外の部分を非通水性の材料で被覆してなるガイド部が設けられ、前記両電極端子間に流水がある間導通し、流水がなくなると導通しなくなることを特徴としている。
【０００８】
上記芳香洗浄器によれば、芳香洗浄器の洗浄器本体に、音が発生する音色発生器を備えたため、コンパクトで比較的安価にして音色発生器を備えた芳香洗浄器が得られ、また水洗トイレの使用によって発生する音色によって、リラックスでき、気分が爽快になる。
【０００９】
さらに、前記音色発生器は、該音色発生器から導出された両電極端子が手洗水に触れて導通することにより、発音するものである。
上記芳香洗浄器によれば、音色発生器の両電極端子が手洗水に触れて導通するため、音色発生器から音色が発生し、手洗中であることが判り、また水の流し忘れも防止できる。
【００１０】
また、音色発生器の電極端子を目印にして、芳香洗浄器を貯水タンクの適切な位置に備えることによって、芳香洗浄器を手洗水が流れる位置に正確に設けられ、更には、水が芳香洗浄剤に均一に触れて芳香洗浄剤が均一に溶け、無駄がない。
【００１１】
さらにまた、前記音色発生器が手洗水に触れないように防水被覆されるものである。上記芳香洗浄器によれば、音色発生器の両電極端子以外は、手洗水に触れないように防水被覆されているため、音色発生器の電子回路のショートの発生を防止し、また耐久性も図れる。
【００１２】
また、前記両電極端子のそれぞれの周囲に、前記両電極端子の各先端部分のみを露出させ、それ以外の部分を非通水性の材料で被覆してなるガイド部を設けたことによって、手洗水が止まっても蓋体上に残った残水によって両電極端子間が導通され続けることを防ぐことができる。
また、前記両電極端子は、前記洗浄器本体の表面又は水流入用開口の近傍に配置されている。
【００１３】
さらに、洗浄器本体に芳香洗浄剤を収容し、該洗浄器本体を水洗トイレの貯水タンク上に載置して、手洗水で前記洗浄器本体に収容された前記芳香洗浄剤を溶解させる芳香洗浄器において、前記洗浄器本体が蓋体を備え、該蓋体が音を発生する音色発生器を備え、該音色発生器は、手洗水の流路に互いに間隔をあけて配置された両電極端子を有し、該両電極端子のそれぞれの周囲に、前記両電極端子の各先端部分のみを露出させ、それ以外の部分を非通水性の材料で被覆してなるガイド部が設けられ、前記両電極端子間に流水がある間導通し、流水がなくなると導通しなくなることを特徴とする。
上記芳香洗浄器の蓋体によれば、洗浄器本体の蓋体が音を発生する音色発生器を有しているため、コンパクトで比較的安価な音色発生器を備えた芳香洗浄器の蓋体が得られると共に、水洗トイレの使用によって発生する音色によって、リラックスでき、気分が爽快になる。
また、蓋体のみの交換が可能であり別の音を発生する蓋体と自由に交換できるので、選択自由度を向上させることができる。
【００１４】
なお、上記蓋体は、洗浄器本体の上方に被着させる上蓋だけでなく、洗浄器本体の下方に被着させる底蓋も含まれる。
また、洗浄器本体に収容された芳香洗浄剤とは、蓋体によって洗浄器本体内に完全し収容される芳香洗浄剤の他、例えば、上方に開口した洗浄器本体内に収容され、上方に完全に露出したもの、また下方に開口した洗浄器本体内に収容され、下方に完全に露出したものも含まれる。
また、音色発生器から発生する音は、音楽等のメロディーが鳴るものであり、鳥、動物、昆虫の鳴き声やブザーであってもよい。
【００１５】
【発明の実施の形態】
以下、本発明の実施の形態を図１乃至図１５を参照して説明する。
図１乃至図３は、本発明の一実施の形態を示す芳香洗浄器で、図１はその断面図であり、図２はその平面図、図３は芳香洗浄器の器体の平面図である。
図１乃至図３に示すように芳香洗浄器１は、洗浄器本体２と、その本体２内に収容された芳香洗浄剤３を保持した芳香洗浄剤容器４で構成されている。
【００１６】
洗浄器本体２は、下方側の器体５と上方側の蓋体６とからなり、器体５と蓋体６は共にセラミック、金属、木、素焼、合成紙、合成樹脂等の成形品であって、蓋体６は、器体５の上縁に設けた係止用突部７に隙間なく嵌合され、且つ着脱自在に被着されている。
器体５は、略円球状の側壁をもった皿状に形成されており、蓋体６が器体５に被着されることによって、その内側に扁平球形状の内部空間が形成される。前記蓋体６は、上方に膨らむ形状の天井壁があって、その中央部分が最も高くなっている。
【００１７】
蓋体６は、その天井壁には、例えば放射状に三方に開いた３本の開口８と、その各開口８の各外側に、円弧状を呈する３本の開口９とが各々穿孔されている。従って、水洗トイレの放水タップよりの手洗水が、開口８，９を通して洗浄器本体２内に挿入される。
また、各開口８，９には、各外側に各々上方に開く傾斜８ａ，９ａが形成され、これらの各開口８，９と各傾斜８ａ，９ａによってルーバー部が形成されている。従って、各開口８，９に形成された傾斜８ａ，９ａによって、手洗水が開口８，９に円滑に挿入されて、蓋体６に手洗水が当たることによる跳ね返りを効果的に回避している。
【００１８】
一方、芳香洗浄器１の器体５は、全体として皿状のリング状をなし、底部に略１２０度毎に下方に、例えば楕円形状の突出する足部１０がその器体５と一体成形されて、各足部１０の内側は円形の開口１１が形成されている。そして、芳香洗浄剤容器４が装填され、器体５の内部に例えば３箇所に突設された支持部１２により、芳香洗浄剤容器４の鍔部１３が引っ掛かるように保持されている。
なお、上記器体は底面に通水口を有する底蓋状のものも含む。
【００１９】
芳香洗浄剤容器４は、中央部に芳香洗浄剤３を支持する載置台１４を有する通水性材料からなる容器部１５と、その上部を覆う複数の通水孔を有する天板からなる天板部１６とからなり、この芳香洗浄剤容器４内に芳香洗浄剤３が載置されて設けられている。
従って、蓋体６の開口８，９を通して洗浄器本体２内に挿入された手洗水は、天板部１６の通水孔から芳香洗浄剤容器４内に浸入し、芳香洗浄剤３を溶解する。芳香洗浄剤３が溶けた水は、容器部１５を通して再び芳香洗浄剤容器４外に進出し、洗浄器本体２の下方から排水される。
【００２０】
容器部１５の上部には、通気孔１７が形成されており、この際に、芳香洗浄剤容器４内の空気は、通気孔１７を通して排気される。前記蓋体６の天井壁の湾曲部内側には、音を発する音色発生器１８が備えられている。音色発生器１８は、例えば音色信号発生手段１９と圧電ブザー２０と電池２１等から構成されており、シリコン樹脂等のコーティング材２２で防水コーティングされて蓋体６の内側に備え付けられている。
【００２１】
そして、その音色発生器１８の両電極端子２３ａ，２３ｂが天井壁の湾曲部表面に露出した状態に設けられている。従って、水洗トイレの手洗水が両電極端子２３ａ，２３ｂ間にかかると、導通となる。
また、傾斜した湾曲部表面に露出しているので、手洗水が止まれば水切れが良く、蓋体上に残った残水によって両電極端子間が導通され続けるようなことはない。
【００２２】
このような芳香洗浄器１によれば、洗浄器本体２内に備えられた音色発生器１８の両電極端子２３ａ，２３ｂに、水洗トイレの手洗水がかかれば、音色発生器１８が導通となって、回路中に微弱な電流が流れて、音楽等のメロディーが鳴る。従って、リラックスでき、気分を爽快にする。
また、音色の発生によって、手洗中であることが判り、水の流し忘れも防止できる。この音色は、メロディー、鳥、動物、昆虫の鳴き声やブザーであってもよい。この場合、圧電ブザー２０をスピーカに代えることにより、より複雑な音色を発生させることができる。
さらに、音色発生器１の音量を調整することもできる。音量調整手段としては、音色発生器１をコーティングするコーティング材２２の肉厚を調整することにより、コーティング材２２から漏れる音量を調整することができ、これは製造時の音量調整に有効である。
【００２３】
手洗水は、開口８，９を通して洗浄器本体２内に挿入され、芳香洗浄剤３を溶解し、また芳香洗浄剤３が溶けた水が貯水タンク内に溜まる。従って、匂いを周囲に漂わして爽やかな気分にし、また次回の使用時に、貯水タンク内の水が流れて水洗トイレの洗浄が行われる。
また、このような構成によれば、コンパクトで比較的安価にして音色発生器１８を備えた芳香洗浄器１が得られる。更に、音色発生器１８の両電極端子２３ａ，２３ｂ以外は、手洗水に触れないように防水被覆されているため、電子回路のショートの発生を防止し、また耐久性も図れる。
【００２４】
図４乃至図８は、本発明の他の実施の形態を示し、図４及び図５は、音色発生器の防水構造を示したものである。また、図６乃至図８は、音色発生器の電極端子の設置構造を示したものである。
図４に示した音声発生器の防水加工手段は、ケース２４内に音色発生器１８を挿入して、音色発生器１８を挿入したケース２４を蓋（又は防水シート）２５で封止し、このケース２４を熔着、接着又は嵌着により、蓋体６の内側に備えるようにした構造のものである。
なお、図４に示した音声発生器において音量を調整しようとする場合は、ケース２４を蓋体６の内側に備える際に、蓋体６との取り付け距離を調整する手段を設け、使用者が用途に応じて任意にこの距離を調整するようにする。
【００２５】
図５は、蓋体６の内側に蓋体６と一体にケース２６を設けて、そのケース２６内に音色発生器１８を挿入して蓋２５で密閉し、蓋体６の内側に備えるようにした構造のものである。
上記いずれの構造の場合にも、音色発生器１８の防水加工が確実になって、電子回路のショートの発生が防止され、また耐久性が図れる。
【００２６】
図６に示した電極端子の設置構造は、蓋体６に形成された開口８又は９に音色発生器１８の両電極端子２７ａ，２７ｂを、前記開口８又は９に向かって直線状に突出させて設けた。
図７は、蓋体６に形成された開口８又は９に設置する音色発生器１８の両電極端子２８ａ，２８ｂを、前記開口８又は９に向かってＬ字状に突出させて設けた。
【００２７】
図８は、蓋体６に形成された開口８又は９に設置する音色発生器１８の両電極端子２９ａ，２９ｂを、前記開口８又は９に向かって「く」字状に突出させて設けた。
上記いずれの構造の電極端子の場合にも、蓋体６の表面上には突出することがなく、両端子電極が他のものに引っ掛かることはなく、また開口８又は９に浸入する手洗水によって、両電極端子は導通し、音色発生器１８が円滑に作動できる。
【００２８】
なお、上記実施の形態は、音色発生器１８を洗浄器本体２内の蓋体６側に備えているが、図９に示すように器体５側に備えてもよく、両電極端子２３ａ，２３ｂが器体側壁から露出した状態に設けられ、手洗水が蓋体６表面を伝わり器体５側壁まで流れてくると、両電極端子２３ａ，２３ｂ間にかかり、導通となる。さらに、足部１０側に備えてもよいことは言うまでもない。
【００２９】
次に、図１０乃至図１３は、本発明のさらに他の実施の形態を示す芳香洗浄器を示し、図１０はその断面図であり、図１１はその平面図、図１２は芳香洗浄器の蓋体要部の断面図、図１３は作用説明図である。
図１０及び図１１に示すように芳香洗浄器３０は、洗浄器本体３２と、その本体内に収容された芳香洗浄剤３３を保持した芳香洗浄剤容器３４とで構成されている。
【００３０】
洗浄器本体３２は、下方側の器体３５と上方側の蓋体３６とからなり、器体３５と蓋体３６は共にセラミック、金属、木、素焼、合成紙、合成樹脂等の成形品である。器体３５は、略円球状の側壁をもった皿状に形成されており、蓋体３６が器体３５に被着されることによって、その内側に扁平球形状の内部空間が形成される。また、蓋体３６は、上方に膨らむ形状の天井壁があって、その中央部分が最も高くなっており、器体３５の上縁に設けた係止用突部３７に嵌合され、且つ着脱自在に被着されている。
なお、上記蓋体は、上方に膨らむ形状に限らず、水切れが良ければ下方にへこむような形状のものでも良い。
【００３１】
前記蓋体３６の外周部分には、例えば略円周方向に沿って複数の開口３８が各々穿孔されており、水洗トイレの放水タップよりの手洗水が、開口３８を通って洗浄器本体３２内に浸入する。各々開口３８は、長短様々で各々湾曲した形状であり、手洗水が開口３８に円滑に浸入されて、蓋体３６に手洗水が当たることによる跳ね返り等を効果的に回避する。
【００３２】
一方、芳香洗浄器３０の器体３５は、全体として皿状であり、底部に略１２０度毎に下方に突出する３脚の足部４０がその器体３５と一体成形されている。そして、器体３５の内部に芳香洗浄剤容器３４が装填され、保持される。
芳香洗浄剤容器３４は、中央部に芳香洗浄剤３３を支持する載置台４４を有する通水性材料からなる容器部４５と、その上部を覆う複数の通水孔４７を有する天板部４６とからなり、この芳香洗浄剤容器３４内に芳香洗浄剤３３が載置される。
なお、天板部に例えばミシン目を入れて、ミシン目を切り離すことでより大きな通水孔を任意に形成することも可能であり、通水孔を通過する水が増えることで、洗浄剤の溶解量を増やすことができる。また、天板部上方が完全に覆われ、器体底部より手洗水が浸入して洗浄剤を溶解するタイプの芳香洗浄器においては、上記天板部に相当する通水性材の水の流入性をスムーズにするために端部にバランス孔が設けられている。
【００３３】
従って、蓋体３６の開口３８から洗浄器本体３２内に浸入された手洗水は、天板部４６の通水孔４７から芳香洗浄剤容器３４内に浸入して芳香洗浄剤３３を溶解する。芳香洗浄剤３３が溶けた水は、容器部４５の底部に開口した図示していない排水孔から芳香洗浄剤容器３４外の貯水タンク内に給水される。また、芳香洗浄剤容器３４内の空気は、前記通水孔４７を通って排気される。
【００３４】
図１１及び図１２に示すように前記蓋体３６の天井壁の内側中央部には、円筒状のケース５６が一体成形されており、その内部に音を発する音色発生器４８が備えられている。
音色発生器４８は、例えば基板等の音色信号発生手段４９と、圧電ブザー５０と電池５１等から構成されており、樹脂製の防水フィルム５５がケース５６下端の開口部を密閉している。
【００３５】
また、音色発生器４８の対向した両側端部には棒状の両電極端子５３ａ，５３ｂが天井壁の表面に突出した状態で設けられている。この両電極端子５３ａ，５３ｂの外側表面上に露出した部分には、表面上から所定高さ（約２mm）だけ樹脂製のガイド部３７ａ，３７ｂが一体成形されている。
また、蓋体３６の天井壁内側の両電極端子５３ａ，５３ｂには、前記音色信号発生手段４９、前記圧電ブザー５０及び前記電池５１が電気的に接続されて所定回路を形成する。従って、水洗トイレの手洗水が両電極端子５３ａ，５３ｂ間にかかると、導通状態となる。
なお、上記電池が、充電機能を備えたものであれば、電池切れしたものも充電して再使用することができる。また、起電するものを別途内臓しておき、例えばトイレの照明の光で電気を起して音色を発生させたり、放水タップからの落下水で水車を回して電気を起して音色を発生させても良い。
【００３６】
上記芳香洗浄器３０によれば、洗浄器本体３２内に備えられた音色発生器４８の両電極端子５３ａ，５３ｂに、水洗トイレの手洗水がかかると、音色発生器４８が導通状態となり、回路中に電流が流れて、音楽等のメロディーが鳴る。従って、上述した芳香洗浄器１と同様にリラックスでき、気分を爽快にする。
また、老人や幼児が緊急を知らせた時、音色を発生させることで外に知らせることもできる。この場合、スイッチを切り替え、両手指で両端子を触れることで警報音が発生するようにしても良い。
【００３７】
また、手洗水は、複数の開口３８を通って洗浄器本体３２内に浸入して、芳香洗浄剤３３を溶解し、芳香洗浄剤３が溶けた水が貯水タンク内に溜まる。従って、爽やかな匂いを周囲に漂わして爽快な気分にしてくれ、次回の使用時には貯水タンク内の水が流れて水洗トイレの洗浄が行われる。
また、上記構成の芳香洗浄器３０によれば、コンパクトで比較的安価な音色発生器４８を備え、音色発生器４８の両電極端子５３ａ，５３ｂ以外は手洗水に触れないように防水被覆されるため、電子回路のショート等の発生を防止して、耐久性及び安全性を図ることができる。
【００３８】
さらに、図１３に示すように芳香洗浄器３０は、ガイド部３７ａ，３７ｂが両電極端子５３ａ，５３ｂの先端部分は露出させ、蓋体３６の外側表面上から所定高さまで設けられているので、手洗水が止まっても、蓋体３６上に残った残水５７によって両電極端子５３ａ，５３ｂ間が導通され続けることはない。従って、音色発生器４８から音色が発生し続けるような不具合を確実に防止することができる。
【００３９】
図１４及び図１５は上述した芳香洗浄器３０の音色発生器４８の他の防水構造を示したものである。図１４に示した音声発生器４８の防水加工手段は、ケース５６の開口部を下方からキャップ状のゴム蓋５８を嵌着して密閉したものである。また、図１５に示した音声発生器４８の防水加工手段は、ケース５６の外周部分に雄ねじを形成すると共に、内側に雌ねじを形成し、底部にゴム製のパッキン５９ａを挿着したキャップ状の蓋体５９を螺着して密閉したものである。なお、ねじを形成せずに単に嵌め込み式にしてもよい。
上記いずれの構造の場合でも、音色発生器４８の防水性を確実に確保することができ、ショート等の発生を防止して、耐久性及び安全性を図ることができる。
【００４０】
なお、上記実施の形態は、手洗水が導通路となって音声発生器のスイッチを作動させているが、手洗水が当たったときの流水圧によりスイッチを作動する圧力センサ形式、流水の発生する振動によりスイッチを作動する振動センサ形式、流水の音によってスイッチを作動する音センサ形式、流水の温度によってスイッチを作動する温度センサ形式にしてもよい。
また、人体の存在を赤外線で感知し、その感知によって音色発生器を作動させる赤外線センサ形式にしてもよい。
【００４１】
また、トイレの流水初期の大きな水流音のため、メロディー等の音色が聞こえ難く、また無駄な電力を節約できる節電仕様として、例えば５秒程度、回路作動を遅らせるようにしても良い。これにより、メロディーを曲の頭から聞くことができると共に、無駄な電力を節約して電池の寿命を向上させることができる。また、トイレ流水時の脈流及び止水時の水滴により複数回にわたって作動するのを防止するために、回路にタイマー機能を持たせ、１回作動後に流水が終わるまで回路をオフにすることで、不要な回路作動を防止して無駄な電力を節約することも可能である。さらに、図１２で示した音色発生器４８の音量調節を図１４で示したゴム蓋５８を嵌着することで音量を容易に小さくすることができる。
【００４２】
【発明の効果】
以上説明したように本発明は、芳香洗浄器の本体に、音が発生する音色発生器を備えたため、コンパクトで比較的安価にして音声発生器を備えた芳香洗浄器が得られ、また水洗トイレの使用によって発生する音声によって、リラックスでき、気分も爽快になる。また、緊急時にはトイレ外へ知らせることも可能であり、警報音と切り替えできるようにすることで、効果的に外へ知らせることができる。
【００４３】
また、音色発生器の両電極端子が手洗水に触れて導通するため、音色発生器から音色が発生し、手洗中であることが判り、水の流し忘れも防止できる。
更に、音色発生器の電極端子を目印にして、芳香洗浄器を貯水タンクの適切な位置に備えることによって、芳香洗浄器を手洗水が流れ落ちる位置に正確に設けられ、更には、水が芳香洗浄剤に均一に触れて芳香洗浄剤が均一に溶け、無駄がない。
【００４４】
また、音色発生器の両電極端子以外は、手洗水に触れないように防水被覆されているため、電子回路のショートの発生を防止し、また耐久性も図れる。
さらに、音色発生器の露出した両電極端子の周囲に、前記両電極端子の各先端部分のみを露出させて前記両電極端子のそれぞれを被覆してなる非通水部としてのガイド部が設けられているため、手洗水が止まっても蓋体上に残った残水によって両電極端子間が導通され続けることを防ぐことができる。よって、音色発生器から音色が発生し続けるような不具合を確実に防止することができる。
【図面の簡単な説明】
【図１】本発明の一実施の形態を示す芳香洗浄器の断面図である。
【図２】図１の芳香洗浄器の平面図である。
【図３】図１の芳香洗浄器の器体の平面図である。
【図４】本発明の他の一実施の形態を示す蓋体の断面図である。
【図５】本発明の他の一実施の形態を示す蓋体の断面図である。
【図６】本発明の他の一実施の形態を示す蓋体の断面図である。
【図７】本発明の他の一実施の形態を示す蓋体の断面図である。
【図８】本発明の他の一実施の形態を示す蓋体の断面図である。
【図９】本発明の他の実施の形態を示す芳香洗浄器の断面図である。
【図１０】本発明のさらに他の実施の形態を示す芳香洗浄器の断面図である。
【図１１】図１０の芳香洗浄器の平面図である。
【図１２】図１０の要部の拡大断面図である。
【図１３】図１２の作用説明図である。
【図１４】本発明の他の一実施の形態を示す蓋体の断面図である。
【図１５】本発明の他の一実施の形態を示す蓋体の断面図である。
【符号の説明】
１，３０  芳香洗浄器
２，３２  洗浄器本体
３，３３  芳香洗浄剤
４，３４  芳香洗浄剤容器
５，３５  器体
６，３６  蓋体
８，９，１１，３８  開口
１５，４５  容器部
１８，４８  音色発生器
２０，５０  圧電ブザー
２３ａ，２３ｂ、２７ａ，２７ｂ、２８ａ，２８ｂ、２９ａ，２９ｂ、５３ａ，５３ｂ  電極端子
２４，２６，５６  ケース
２５  防水シート
３７ａ，３７ｂ  ガイド部
５５  防水フィルム
５８  ゴム蓋
５９  ねじ式蓋
【図１】
0004361149.tif 000002
【図２】
0004361149.tif 000003
【図３】
0004361149.tif 000004
【図４】
0004361149.tif 000005
【図５】
0004361149.tif 000006
【図６】
0004361149.tif 000007
【図７】
0004361149.tif 000008
【図８】
0004361149.tif 000009
【図９】
0004361149.tif 000010
【図１０】
0004361149.tif 000011
【図１１】
0004361149.tif 000012
【図１２】
0004361149.tif 000013
【図１３】
0004361149.tif 000014
【図１４】
0004361149.tif 000015
【図１５】
0004361149.tif 000016